(57)【要約】【課題】バッテリの種類に関わらず取り付け可能であり、取り付け作業が容易な電流検出装置を提供する。【解決手段】電流検出装置２０の検出部２１は、バッテリ本体１１から上方へ突出するバッテリポスト１２に設けられる。このとき、検出部２１は、バッテリポスト１２の上端面１３からバッテリ本体１１側へ外径の変化量が概ね一定のテーパ状の部分に取り付けられる。このように、検出部２１は、バッテリポスト１２のバッテリ本体１１から離れた側に設けられる。そのため、検出部２１は、バッテリポスト１２の形状に関わらずバッテリポスト１２に取り付け可能である。また、検出部２１は開口部２５にバッテリポスト１２を挿入することにより、バッテリポスト１２に取り付けられる。そのため、取り付け作業が簡略化される。さらに、検出部２１は、バッテリ本体１１のバッテリポスト１２側に形成される空間に設けられる。そのため、省スペース化が図られる。【選択図】図１
2010048571.tif 000002
【特許請求の範囲】
【請求項１】
バッテリ本体と、前記バッテリ本体から突出するバッテリポストとを備えるバッテリの前記バッテリポストに取り付けられ、前記バッテリポストを流れる電流を検出する電流検出装置であって、
前記バッテリポストの前記バッテリ本体と反対側の端部から前記バッテリ本体までの間において外径が概ね一定の円柱部または外径の変化量が概ね一定のテーパ部の径方向外側に設けられ、前記ポスト部を流れる電流によって生じた磁束を検出するコアを有する検出部と、
前記検出部で検出した磁束を電圧に変換して外部へ出力する変換出力部と、
を備えることを特徴とする電流検出装置。
【請求項２】
前記検出部は、前記バッテリポストが挿入される円形状の開口部を有し、
前記開口部の内径は、規格化されている最大径のバッテリポストを挿入可能に設定されていることを特徴とする請求項１記載の電流検出装置。
【請求項３】
前記バッテリポストの径方向外側に、前記バッテリポストから電力を取り出すターミナル部材を備えるバッテリに適用され、
前記検出部および前記変換出力部を有するケーシングと、
前記ケーシングに設けられ、前記ターミナル部材を前記ケーシングに保持する保持構造部と、
をさらに備えることを特徴とする請求項１または２記載の電流検出装置。
【請求項４】
前記保持構造部は、前記ケーシングに設けられている爪部と、前記ターミナル部材に設けられ前記爪部が嵌め込まれる穴部とを有することを特徴とする請求項３記載の電流検出装置。
【請求項５】
前記保持構造部は、前記ターミナル部材に設けられている爪部と、前記ケーシングに設けられ前記爪部が嵌め込まれる穴部とを有することを特徴とする請求項３記載の電流検出装置。
【請求項６】
前記保持構造部は、前記ケーシングに設けられている鈎状部と、前記ターミナル部材に設けられ前記ケーシングに対し前記検出部の径方向へ前記ターミナル部材をスライドさせることにより前記鈎状部に嵌め込まれる鍔部とを有することを特徴とする請求項３記載の電流検出装置。
【請求項７】
前記保持構造部は、前記検出部を挟んで前記変換出力部と反対側の端部において前記ケーシングと前記ターミナル部材とを相対的に回転可能に支持する回転支持部を有することを特徴とする請求項３記載の電流検出装置。
【請求項８】
前記検出部は、前記ターミナル部材の前記バッテリ本体側に設けられ、
前記変換出力部は、前記検出部および前記ターミナル部材の径方向外側に設けられていることを特徴とする請求項３から７のいずれか一項記載の電流検出装置。
【請求項９】
前記ケーシングは、前記検出部の径方向内側からさらに内側へ突出して端部が前記バッテリポストに接する複数の凸部を有することを特徴とする請求項１から８のいずれか一項記載の電流検出装置。
【発明の詳細な説明】
【技術分野】
【０００１】
本発明は、バッテリのバッテリポストを流れる電流を検出する電流検出装置に関する。
【背景技術】
【０００２】
従来、バッテリから出力またはバッテリに入力される電流を検出する電流検出装置は、例えば特許文献１に開示されているものが一般的である。特許文献１に開示されている電流検出装置は、バッテリポストに取り付けられるターミナルと、このターミナルに取り付けられるハーネスとの接続部分に設けられている。しかしながら、特許文献１のような一般的な電流検出装置の場合、ターミナルとハーネスとを接続するためのねじ締め工程を必要とし、取り付け作業が煩雑になるという問題がある。
【０００３】
一方、バッテリポストを流れる電流を検出する電流検出装置として例えば特許文献２が開示されている。特許文献２では、バッテリポストの大径部に電流検出装置が取り付けられている。詳細には、バッテリポストは、バッテリ本体側の基端部側が他の部分よりも大径の台座状に形成されている。特許文献２では、この台座状の大径部に電流検出装置を取り付けることにより、省スペース化および取り付け作業性の向上を図っている。
【０００４】
しかしながら、バッテリポストの大径部は、特に規格化されていない。また、欧州や米国では大径部が設けられていないバッテリが広く流通している。そのため、特許文献２の場合、想定外の形状の大径部やそもそも大径部が設けられていないバッテリには、電流検出装置の取り付けが困難であるという問題がある。
【特許文献１】特開２００２−１４１０５４号公報
【特許文献２】特開２００２−５０４１５号公報
【発明の開示】
【発明が解決しようとする課題】
【０００５】
そこで、本発明は、上記の課題に鑑みてなされたものであり、その目的は、バッテリの種類に関わらず取り付け可能であり、取り付け作業が容易な電流検出装置を提供することにある。
【課題を解決するための手段】
【０００６】
請求項１記載の発明では、検出部はバッテリポストの円柱部またはテーパ部に設けられている。バッテリポストは、バッテリ本体と反対側の端部からバッテリ本体にかけて外径が概ね一定の円柱部または外径の変化量が概ね一定のテーパ部を有している。このような円柱部またはテーパ部に検出部を設けることにより、検出部はバッテリポストのバッテリ本体から離れた側に設けられる。一方、バッテリポストの円柱部またはテーパ部は、大径部と異なり、その形状が例えばＪＩＳ、ＢＣＩ、ＤＩＮによって規格化されている。これにより、バッテリポストの円柱部またはテーパ部の形状は、バッテリの種類に関わらず所定の規格内に設定されている。したがって、バッテリの種類に関わらず取り付けることができる。また、検出部にバッテリポストを挿入することにより、検出部はバッテリポストに取り付けられる。したがって、取り付け作業を容易にすることができる。さらに、バッテリポストはバッテリ本体から突出しているため、検出部はバッテリ本体のバッテリポスト側に形成される空間に設けられる。したがって、搭載に必要な空間を低減することができ、省スペース化を図ることができる。
【０００７】
請求項２記載の発明では、検出部の開口部の内径は最大径のバッテリポストにあわせて設定されている。バッテリポストは、例えばＪＩＳ規格の場合、正極用のバッテリポストおよび負極用のバッテリポストが規格化されるとともに、それぞれ太端子および細端子が設定されている。このようなＪＩＳ規格の場合、開口部の内径を最も大径の正極用の太端子にあわせて設定することにより、この開口部には他の各種のバッテリポストが挿入可能である。したがって、単一の開口部によって複数の種類のバッテリポストに対応することができ、開口部を有する検出部の種類を低減することができる。
【０００８】
請求項３から７のいずれか一項記載の発明では、保持構造部を備えている。保持構造部は、バッテリポストから外部へ電力を取り出すターミナル部材と検出部および変換出力部を一体に有するケーシングとを保持する。これにより、ターミナル部材とケーシングとは保持構造部により容易に組み付けられる。例えば、ターミナル部材をバッテリポストに取り付けた後、このターミナル部材にケーシングを取り付けたり、ターミナル部材とケーシングとを一体に組み付けた後、組み付けられた一体のターミナル部材とケーシングとがバッテリポストに取り付けられる。その結果、バッテリポストへのターミナル部材ならびに検出部および変換出力部を有するケーシングの取り付けが容易になる。したがって、取り付け作業を容易にすることができる。
【０００９】
請求項４または５記載の発明では、ケーシングに設けられている爪部とターミナル部材に設けられている穴部、またはターミナル部材に設けられている爪部とケーシングに設けられている穴部との嵌め込みによって、保持構造部が構成され、ケーシングとターミナル部材とは保持される。したがって、爪部と穴部との嵌め込みという簡単な作業でケーシングとターミナル部材とを一体に組み付けることができる。
【００１０】
請求項６記載の発明では、ケーシングに設けられている鈎状部とターミナル部材に設けられている鍔部との嵌め込みによって、保持構造部が構成され、ケーシングとターミナル部材とは保持される。ターミナル部材の鍔部は、ケーシングに対しターミナル部材を検出部の径方向へスライドさせることにより、ケーシングの鈎状部に嵌め込まれる。したがって、ケーシングに対するターミナル部材のスライドという簡単な作業でケーシングとターミナル部材とを一体に組み付けることができる。
請求項７記載の発明では、ケーシングとターミナル部材とは回転支持部を中心に相対的に回転可能である。これにより、ケーシングとターミナル部材とは回転支持部を中心に回転可能に保持されている。したがって、回転支持部へのターミナル部材の取り付けという簡単な作業でケーシングとターミナル部材とを一体に組み付けることができる。
【００１１】
請求項８記載の発明では、検出部をターミナル部材のバッテリ本体側に設け、変換出力部は検出部およびターミナル部材の径方向外側に設けている。これにより、バッテリ本体のバッテリポストが突出する側に形成された空間は、検出部、ターミナル部材および変換出力部の搭載ために有効な利用が図られる。したがって、省スペース化を図ることができる。
請求項９記載の発明では、検出部の径方向内側には複数の凸部が設けられている。凸部は、検出部の内側からさらに径方向内側に突出し、内側の端部がバッテリポストに接する。これにより、検出部の内周側に挿入されるバッテリポストは、凸部によって支持される。したがって、バッテリポストと検出部とを安定して組み付けることができる。
【発明を実施するための最良の形態】
【００１２】
以下、本発明による電流検出装置の複数の実施形態を図面に基づいて説明する。なお、各実施形態において実質的に同一の構成部位には同一の符号を付し、説明を省略する。
（第１実施形態）
本発明の第１実施形態による電流検出装置を取り付けたバッテリを図１に示す。図１に示すようにバッテリ１０は、バッテリ本体１１およびバッテリポスト１２を備えている。バッテリ本体１１は、例えば図示しない電極板や電解質溶液を収容している。バッテリポスト１２は、導電性の金属によって形成され、バッテリ本体１１から突出している。一般に、バッテリポスト１２は、天地方向においてバッテリ本体１１の上端面から上方へ突出して設けられている。バッテリポスト１２は、円柱状またはテーパ状に形成されている。第１実施形態の場合、バッテリポスト１２は、バッテリ本体１１と反対側の端部である上端面１３からバッテリ本体１１側へかけて外径の変化量が概ね一定なテーパ状に形成されている。すなわち、バッテリポスト１２は、全体がテーパ部を形成している。なお、バッテリポスト１２は、上端面１３からバッテリ本体１１側へかけて外径が概ね一定の円柱状に形成してもよい。このように、第１実施形態の場合、バッテリポスト１２は、軸方向の途中において外径が変化する段差を形成していない。
【００１３】
電流検出装置２０は、検出部２１、変換出力部２２およびケーシング２３を備えている。ケーシング２３は、樹脂で形成され、検出部２１および変換出力部２２を一体に収容している。検出部２１は、図２に示すように略円環状に形成され、図１に示すように内側にコア２４が設けられている。円環状に形成された検出部２１は、内周側にバッテリポスト１２が挿入される開口部２５を形成している。バッテリポスト１２を電流が流れることにより、バッテリポスト１２の周囲には磁界が発生する。検出部２１のコア２４は、このバッテリポスト１２の周囲に発生した磁界を検出する。変換出力部２２は、検出部２１のコア２４で検出した磁束を電圧に変換するとともに、変換した電圧を外部へ出力する。変換出力部２２は、検出部２１のコア２４で検出した磁束を電圧に変換する回路基板２６を有している。回路基板２６は、例えば半導体集積回路や各種の素子などで構成されている。これにより、バッテリポスト１２を電流が流れると、変換出力部２２はバッテリポスト１２を流れる電流に対応した電圧を外部へ出力する。
【００１４】
検出部２１においてバッテリポスト１２が挿入される開口部２５の内径は、バッテリポスト１２にあわせて設定されている。バッテリポスト１２は、上述したように例えばＪＩＳなどの各国の標準規格によって形状が規格化されている。ＪＩＳ規格の場合、バッテリポスト１２は正極および負極についてそれぞれ太端子および細端子が規格化されている。このＪＩＳ規格の場合、バッテリポスト１２は、正極の太端子が最大径となる。そこで、開口部２５の内径は、バッテリポスト１２のうち最大径となる正極の太端子にあわせて設定されている。最大径となる正極の太端子にあわせることにより、開口部２５には正極の太端子だけでなく、正極の細端子、ならびに負極の太端子および細端子のいずれも挿入可能である。その結果、開口部２５の設計を正極の太端子の一種類にあわせても、その他の端子径となる各種のバッテリポスト１２に対応可能となる。例えば米国のＢＣＩ規格、あるいは欧州のＤＩＮ規格などの場合も、開口部２５は複数の種類のバッテリポスト１２のうち最大径のものにあわせて設計することが望ましい。
【００１５】
バッテリ１０のバッテリポスト１２には、上述の電流検出装置２０とともにバッテリ１０から外部へ電力を取り出すためのターミナル部材３０が取り付けられる。ターミナル部材３０は、導電性の金属で形成され、バッテリポスト１２が挿入される円環状の取付部３１を有している。ターミナル部材３０の取付部３１と反対側は、図２に示すようにバッテリ１０から取り出された電流が流れるケーブル３２が接続されている。バッテリポスト１２にターミナル部材３０を取り付けることにより、ケーブル３２を経由してバッテリ１０の電力が外部へ取り出される。ターミナル部材３０は、板状に形成されている第一板部材３３および第二板部材３４から構成されている。第一板部材３３および第二板部材３４は、スタッドボルト３５およびかしめ部３６によって一体に結合されている。
【００１６】
円環状の取付部３１は、図１に示すようにバッテリポスト１２に接する内周側に接触部３７を有している。接触部３７は、ターミナル部材３０を形成する導電性の金属によって弾性変形可能に形成されている。そのため、取付部３１にバッテリポスト１２を挿入したとき、接触部３７はバッテリポスト１２の外壁への密着精度が向上する。この接触部３７は、バッテリポスト１２の軸方向の長さが大きく設定されている。また、検出部２１のコア２４も、バッテリポスト１２の軸方向の長さがバッテリポスト１２の全長よりも小さく設定されている。その結果、軸方向の全長が短いバッテリポスト１２のテーパ状の部分にターミナル部材を取り付ける場合でも、接触部３７とバッテリポスト１２との接触面積は十分に確保される。
【００１７】
電流検出装置２０およびターミナル部材３０は、バッテリポスト１２に設けられている。より詳細には、ターミナル部材３０は、バッテリポスト１２の上端面１３すなわちバッテリ本体１１と反対側の端部から下端すなわちバッテリ本体１１側の端部までの間に取り付けられている。ターミナル部材３０は、円環状の取付部３１において内周側がバッテリポスト１２の外周壁に接している。バッテリポスト１２にターミナル部材３０が接することにより、バッテリ１０とターミナル部材３０とは電気的に接続される。一方、電流検出装置２０は、検出部２１がターミナル部材３０の下方すなわちバッテリ本体１１側に位置している。検出部２１は、ターミナル部材３０の下方において、バッテリポスト１２の径方向外側に設けられている。また、電流検出装置２０の変換出力部２２は、バッテリポスト１２に取り付けられているターミナル部材３０および検出部２１の径方向外側に設けられている。電流検出装置２０のケーシング２３は、検出部２１および変換出力部２２を一体として収容している。そのため、検出部２１と変換出力部２２との間の位置関係は、ケーシング２３の形状によって規定されている。したがって、電流検出装置２０は、バッテリポスト１２の上端面１３からバッテリ本体１１側まで外径の変化量が一定なテーパ状の部分に取り付けられている。
【００１８】
電流検出装置２０は、図２に示すようにケーシング２３にターミナル部材３０を保持するための保持構造部を備えている。保持構造部は、爪部４１および穴部４２を有している。第１実施形態の場合、爪部４１はケーシング２３に設けられ、穴部４２はターミナル部材３０を貫いて設けられている。ケーシング２３は、円環状の検出部２１から上方すなわちバッテリ本体１１とは反対側へ立ち上がる爪部４１を有している。一方、ターミナル部材３０は、爪部４１に対応する穴部４２を有している。爪部４１は、先端に返しが設けられた矢形状に形成されている。そのため、爪部４１を穴部４２に挿入しつつターミナル部材３０をケーシング２３側へ押し込むことにより、爪部４１は穴部４２に嵌め込まれる。すなわち、ケーシング２３の爪部４１とターミナル部材３０の穴部４２とは、いわゆるスナップフィットを構成している。このように爪部４１と穴部４２とを嵌め合わせたとき、ケーシング２３の開口部２５とターミナル部材３０の取付部３１とが重なり合う。そのため、爪部４１と穴部４２との嵌め合わせにより一体に構成された電流検出装置２０およびターミナル部材３０は、一体となった構成を維持したままバッテリポスト１２に取り付けられる。
【００１９】
ターミナル部材３０に電流検出装置２０を一体的に保持することにより、開口部２５の内径を外径が最大の正極の太端子に合わせて設計した場合でも、ターミナル部材３０がバッテリポスト１２に取り付けられることよって電流検出装置２０も所定の位置に取り付けられる。すなわち、電流検出装置２０はターミナル部材３０に保持されているため、ターミナル部材３０がバッテリポスト１２に取り付けられることにより、電流検出装置２０の位置も決定される。
【００２０】
電流検出装置２０をバッテリ１０のバッテリポスト１２に取り付ける場合、まず電流検出装置２０とターミナル部材３０とが一体に組み付けられる。このとき、電流検出装置２０のケーシング２３に設けられている爪部４１をターミナル部材３０に設けられている穴部４２に嵌め込むことにより、電流検出装置２０とターミナル部材３０とは一体に組み付けられる。そして、一体に組み付けられた電流検出装置２０およびターミナル部材３０は、バッテリ１０のバッテリポスト１２に取り付けられる。電流検出装置２０とターミナル部材３０とが一体に組み付けられたとき、電流検出装置２０の開口部２５とターミナル部材３０の取付部３１とは重なり合っている。そのため、開口部２５および取付部３１の内側にバッテリポスト１２が挿入される。取付部３１に設けられている弾性変形可能な接触部３７がバッテリポスト１２に接することによって、バッテリ１０とターミナル部材３０とが電気的に接続されるとともに、ターミナル部材３０およびこれに保持されている電流検出装置２０はバッテリポスト１２との位置関係が規定されつつバッテリポスト１２に固定される。
【００２１】
以上説明した本発明の第１実施形態では、検出部２１はテーパ状のバッテリポスト１２に設けられている。このようなテーパ状のバッテリポスト１２に検出部２１を設けることにより、検出部２１はバッテリポスト１２のバッテリ本体１１から離れた側に設けられる。そのため、検出部２１は、バッテリポスト１２の形状に関わらずバッテリポスト１２に取り付け可能である。したがって、バッテリ１０の種類に関わらず電流検出装置２０をバッテリポスト１２に取り付けることができる。また、検出部２１にバッテリポスト１２を挿入することにより、検出部２１はバッテリポスト１２に取り付けられる。したがって、取り付け作業を容易にすることができる。さらに、バッテリポスト１２はバッテリ本体１１から突出しているため、検出部２１はバッテリ本体１１のバッテリポスト１２側に形成される空間に設けられる。したがって、搭載に必要な空間を低減することができ、省スペース化を図ることができる。
【００２２】
また、第１実施形態では、検出部２１の開口部２５の内径は、規格化されているバッテリポスト１２のうち最大径となる正極用の太端子にあわせて設定されている。そのため、この開口部２５にはその規格に含まれる他の各種のバッテリポスト１２が挿入可能である。したがって、単一の開口部２５よって複数の種類のバッテリポスト１２に対応することができ、開口部２５を有する検出部２１の設計を簡略化することができる。
さらに、第１実施形態では、ケーシング２３に設けられている爪部４１とターミナル部材３０に設けられている穴部４２との嵌め込みによって、保持構造部が構成され、電流検出装置２０とターミナル部材３０とは保持される。したがって、爪部４１と穴部４２との嵌め込みという簡単な作業で電流検出装置２０とターミナル部材３０とを一体に組み付けることができる。
【００２３】
さらに、第１実施形態では、検出部２１をターミナル部材３０のバッテリ本体１１側に設け、変換出力部２２は検出部２１およびターミナル部材３０の径方向外側に設けている。これにより、バッテリ本体１１のバッテリポスト１２が突出する側、すなわちバッテリ本体１１の上方に形成された空間は、検出部２１、ターミナル部材３０および変換出力部２２の搭載ために有効な利用が図られる。したがって、省スペース化を図ることができる。
さらに、第１実施形態では、バッテリポスト１２の軸方向において、ターミナル部材３０の接触部３７の全長を拡大し、検出部２１のコア２４の全長を縮小している。そのため、接触部３７とバッテリポスト１２との接触面積を確保しつつ、バッテリポスト１２からの検出部２１の突出が低減される。第１実施形態のように電流検出装置２０をバッテリポスト１２のバッテリ本体１１と反対側すなわち上端面１３側に取り付ける場合、バッテリポスト１２の全長によってはその取り付けが妨げられる場合がある。そこで、接触部３７の全長を拡大しつつコア２４の全長を縮小することにより、接触部３７とバッテリポスト１２との接触面積の確保による電流取り出し性能の維持と、コア２４の短縮による省スペース化を図っている。したがって、バッテリ１０の種類およびバッテリポスト１２の形状に関係なく確実な電流の取り出しを達成できるとともに、省スペース化を両立することができる。
【００２４】
（第１実施形態の変形例）
第１実施形態の変形例を図３に示す。第１実施形態では、ケーシング２３に爪部４１を設け、ターミナル部材３０に穴部４２を設ける例について説明した。しかし、図３に示す変形例のように、ターミナル部材３０に爪部４３を設け、ケーシング２３に穴部４４を設けてもよい。この場合でも、爪部４３を穴部４４に嵌め込むことにより、電流検出装置２０とターミナル部材３０とは一体に組み付けられる。したがって、爪部４３と穴部４４との嵌め込みという簡単な作業で電流検出装置２０とターミナル部材３０とを一体に組み付けることができる。
【００２５】
（第２実施形態）
本発明の第２実施形態による電流検出装置を図４に示す。
第２実施形態では、保持構造部が第１実施形態と異なっている。第２実施形態の場合、保持構造部は、電流検出装置２０のケーシング２３に設けられている鈎状部５１と、ターミナル部材３０に設けられている鍔部５２とを有している。鈎状部５１は、ケーシング２３に設けられ、ケーシング２３からバッテリ本体１１と反対側すなわち上方へ立ち上がっている。鈎状部５１は、上端が変換出力部２２側へ突出することにより、ケーシング２３の端面との間に溝５３を形成している。鍔部５２は、ターミナル部材３０の第一板部材３３に設けられている。鍔部５２は、第一板部材３３から外側へ突起状に突出している。この鍔部５２は、鈎状部５１に嵌め込まれる。
検出部２１の径方向へターミナル部材３０をスライドさせることにより、ターミナル部材３０の鍔部５２はケーシング２３の鈎状部５１が形成する溝５３に嵌め込まれる。このように鍔部５２を鈎状部５１の溝５３に嵌め込むことにより、ターミナル部材３０は電流検出装置２０のケーシング２３に保持される。
【００２６】
第２実施形態では、ケーシング２３に設けられている鈎状部５１とターミナル部材３０に設けられている鍔部５２との嵌め込みによって、保持構造部が構成され、電流検出装置２０とターミナル部材３０とは保持される。ターミナル部材３０の鍔部５２は、ケーシング２３に対しターミナル部材３０をスライドさせることにより、ケーシング２３の鈎状部５１に嵌め込まれる。したがって、電流検出装置２０のケーシング２３に対するターミナル部材３０のスライドという簡単な作業で電流検出装置２０とターミナル部材３０とを一体に組み付けることができる。
【００２７】
（第３実施形態）
本発明の第３実施形態による電流検出装置を図５に示す。
第３実施形態では、図５に示すように保持構造部が第１実施形態と異なっている。第３実施形態の場合、ケーシング２３は検出部２１を挟んで変換出力部２２の反対側に回転支持部６１を有している。回転支持部６１は、ケーシング２３において変換出力部２２と同様に上方側へ設けられている。回転支持部６１は、ターミナル部材３０のスタッドボルト３５の軸方向の端部が嵌め込まれ、スタッドボルト３５を回転可能に支持する。そのため、電流検出装置２０のケーシング２３とターミナル部材３０とは、回転支持部６１におけるスタッドボルト３５の回転によって相対的に回転可能である。これにより、ターミナル部材３０は、回転支持部６１と反対側の端部すなわち電流検出装置２０の変換出力部２２側において、図５の矢印Ｒ１およびＲ２方向へ開閉可能である。
【００２８】
上記の構成により、ターミナル部材３０および電流検出装置２０をバッテリ１０のバッテリポスト１２の取り付ける場合、まずターミナル部材３０のスタッドボルト３５をケーシング２３の回転支持部６１に取り付ける。これにより、電流検出装置２０とターミナル部材３０とは、一体に組み付けられる。そして、一体に組み付けられた電流検出装置２０およびターミナル部材３０は、ターミナル部材３０の回転支持部６１とは反対側の端部すなわちケーブル３２側の端部と電流検出装置２０の変換出力部２２とを重ねた状態でバッテリ１０のバッテリポスト１２に取り付けられる。その結果、バッテリポスト１２に電流検出装置２０およびターミナル部材３０の取り付けが完了する。
【００２９】
第３実施形態では、電流検出装置２０のケーシング２３とターミナル部材３０とは回転支持部６１を中心に相対的に回転可能である。すなわち、回転支持部６１にターミナル部材３０を取り付けることにより、電流検出装置２０とターミナル部材３０とは一体に組み付けられる。したがって、回転支持部６１へのターミナル部材３０の取り付けという簡単な作業で電流検出装置２０とターミナル部材３０とを一体に組み付けることができる。
【００３０】
（第４実施形態）
本発明の第４実施形態による電流検出装置を図６に示す。
第４実施形態では、ケーシング２３は開口部２５に複数の凸部７１を有している。凸部７１は、開口部２５の径方向内側へ突出している。凸部７１は、径方向内側の端面がバッテリポスト１２の外周壁に接触可能である。複数の凸部７１の端面がバッテリポスト１２の外周壁に接することにより、バッテリポスト１２に対するケーシング２３の位置が安定する。なお、ターミナル部材３０の接触部３７をバッテリ本体１１側へ延長する場合、凸部７１とバッテリポスト１２との間にターミナル部材３０の接触部３７が挟み込まれてもよい。このように凸部７１とバッテリポスト１２との間にターミナル部材３０の接触部３７を挟み込む場合でも、凸部７１がターミナル部材３０の接触部３７に接することにより、バッテリポスト１２に対する電流検出装置２０の位置は安定する。
第４実施形態では、検出部２１の径方向内側には複数の凸部７１が設けられている。これにより、検出部２１の内周側に挿入されるバッテリポスト１２は、凸部７１によって支持される。したがって、バッテリポスト１２と検出部２１とを安定して組み付けることができる。
【００３１】
（その他の実施形態）
以上説明した複数の実施形態では、バッテリポスト１２は上端面１３からバッテリ本体１１側まで外径の変化量が概ね一定のテーパ状に形成された例を説明した。しかし、バッテリポスト１２は、上端面１３からバッテリ本体１１側まで外径が概ね一定の円柱状でもよい。また、円柱状またはテーパ状のバッテリポスト１２は、バッテリ本体１１側の端部に円柱状またはテーパ状の部分よりも外径が大きな大径部を有していてもよい。この場合でも、電流検出装置２０は、バッテリポスト１２の円柱状またはテーパ状の部分に取り付けられる。
【００３２】
また、第１実施形態において保持構造部を構成する爪部４１、４２および穴部４２、４４の位置、ならびに第２実施形態において保持構造部を構成する鈎状部５１および鍔部５２の位置など、保持構造部を構成する各部の位置は、上述した例に限らず、任意の位置に設けることができる。また、例えば第１実施形態の保持構造部と第２実施形態の保持構造部とを組み合わせる場合のように、複数の実施形態を組み合わせて適用してもよい。同様に、第４実施形態の構成を第１実施形態から第３実施形態に組み合わせて適用してもよい。
【００３３】
以上説明した本発明は、上記実施形態に限定されるものではなく、その要旨を逸脱しない範囲で種々の実施形態に適用可能である。
【図面の簡単な説明】
【００３４】
【図１】本発明の第１実施形態による電流検出装置を取り付けたバッテリを示す模式的な断面図
【図２】本発明の第１実施形態による電流検出装置およびターミナル部材を示す概略斜視図
【図３】本発明の第１実施形態の変形例による電流検出装置およびターミナル部材を示す概略斜視図
【図４】本発明の第２実施形態による電流検出装置およびターミナル部材を示す概略斜視図
【図５】本発明の第３実施形態による電流検出装置およびターミナル部材を示す概略断面図
【図６】本発明の第４実施形態による電流検出装置を示す概略平面図
【符号の説明】
【００３５】
図面中、１０はバッテリ、１１はバッテリ本体、１２はバッテリポスト、２０は電流検出装置、２１は検出部、２２は変換出力部、２３はケーシング、２４はコア、２５は開口部、３０はターミナル部材、４１、４３は爪部（保持構造部）、４２、４４は穴部（保持構造部）、５１は鈎状部（保持構造部）、５２は鍔部（保持構造部）、６１は回転支持部（保持構造部）、７１は凸部を示す。
【図１】
2010048571.tif 000003
【図２】
2010048571.tif 000004
【図３】
2010048571.tif 000005
【図４】
2010048571.tif 000006
【図５】
2010048571.tif 000007
【図６】
2010048571.tif 000008